(57)【要約】【課題】  本考案は、足指間付け根ツボマッサージ、足裏マッサージ及びアキレス腱マッサージにより、内臓不調、足のバネ指、水虫、内・外反母趾、扁平足等の治療・改善ができる足指間装着用具を提供するものである。【解決手段】  足の甲に取り付けられると共に弾性部材で形成された甲バンド７と、この甲バンド７に取り付けられると共に足の指に装着する弾性部材で形成され、足の親指から小指に向かって、第一指バンド２、第二指バンド３、第三指バンド４、第四指バンド５、第五指バンド６、の順に並設された５個の指バンドと、前記甲バンド７に取り付けられると共に、足のアキレス腱に当接して装着される弾性部材で形成された帯状部材のバンド８とによって構成された足指間装着用具。【選択図】                図１
0003126808.tif 000002
【実用新案登録請求の範囲】
【請求項１】
足の甲に取り付けられると共に弾性部材で形成された甲バンドと、該甲バンドに取り付けられると共に足の指に装着する弾性部材で形成されたループ状の第一指バンドと、前記甲バンドに取り付けられると共に足の指に装着する弾性部材で形成されたループ状の第二指バンドと、前記甲バンドに取り付けられると共に足の指に装着する弾性部材で形成されたループ状の第三指バンドと、前記甲バンドに取り付けられると共に足の指に装着する弾性部材で形成されたループ状の第四指バンドと、前記甲バンドに取り付けられると共に足の指に装着する弾性部材で形成されたループ状の第五指バンドとによって構成される足指間装着用具にあって、足の親指から小指に向かって、前記第一指バンド、前記第二指バンド、前記第三指バンド、前記第四指バンド、前記第五指バンドの順に並設していることを特徴とする足指間装着用具。
【請求項２】
甲バンドは帯状部材で、足の甲に取り付けられるように、前記帯状部材の端部に、それぞれ係止用の第一面状ファスナーと第二面状ファスナーが取り付けられていることを特徴とする請求項１記載の足指間装着用具。
【請求項３】
甲バンドに取り付けられると共に足のアキレス腱に当接して装着される弾性部材で形成されたバンドを備えていることを特徴とする請求項１又は２記載の足指間装着用具。
【請求項４】
足の甲に取り付けられると共に弾性部材で形成された甲バンドと、この甲バンドに取り付けられると共に足の指に装着する弾性部材で形成されたループ状の第一指バンドと、前記甲バンドに取り付けられると共に足の指に装着する弾性部材で形成されたループ状の第二指バンドと、前記甲バンドに取り付けられると共に足の指に装着する弾性部材で形成されたループ状の第三指バンドと、前記甲バンドに取り付けられると共に足の指に装着する弾性部材で形成されたループ状の第四指バンドと、前記甲バンドに取り付けられると共に足の指に装着する弾性部材で形成されたループ状の第五指バンドとによって構成される足指間装着用具にあって、足の親指から小指に向かって、前記第一指バンド、前記第二指バンド、前記第三指バンド、前記第四指バンド、前記第五指バンドの順に並設し、前記甲バンドは帯状部材で、足の甲に取り付けられるように、前記帯状部材の端部に、それぞれ係止用の第一面状ファスナーと第二面状ファスナーが取り付けられ、前記甲バンドに取り付けられると共に足のアキレス腱に当接して装着される弾性部材で形成された帯状部材のバンドを足の甲に取り付けられるように、前記バンドの端部に、それぞれ係止用の第三面状ファスナーと第四面状ファスナーが取り付けられていることを特徴とする足指間装着用具。
【考案の詳細な説明】
【技術分野】
【０００１】
本考案は、足指間付け根ツボマッサージ、足裏及びアキレス腱マッサージにより内臓不調、足のバネ指、水虫、内・外反母趾、扁平足等の治療、改善を目的とした足指間装着用具に関するものである。
【背景技術】
【０００２】
従来のものには、５指用靴下、足指付根用靴下、つま先用靴下及び足指間マッサージインナーがあり、その使用目的は、外反母趾や水虫の治療対策を意図したものであった。
【０００３】
【特許文献１】実用新案登録第３１１９２９９号公報
【考案の開示】
【考案が解決しようとする課題】
【０００４】
前記４種類の足指間装着用具はいずれもすぐれものではあるが、治療対策としては、長期間に渡り使用しなければその効果も得られず、物によっては長時間装着することで不快に感じたり又、女性にとっては足先がゴロツき美的感覚も失われがちで、なかなか皆々が使用に至っていない。
【課題を解決するための手段】
【０００５】
本考案は、足の甲に取り付けられると共に弾性部材で形成された甲バンドと、この甲バンドに取り付けられると共に足の指に装着する弾性部材で形成されたループ状の第一指バンドと、前記甲バンドに取り付けられると共に足の指に装着する弾性部材で形成されたループ状の第二指バンドと、前記甲バンドに取り付けられると共に足の指に装着する弾性部材で形成されたループ状の第三指バンドと、前記甲バンドに取り付けられると共に足の指に装着する弾性部材で形成されたループ状の第四指バンドと、前記甲バンドに取り付けられると共に、足の指に装着する弾性部材で形成されたループ状の第五指バンドとによって構成され、足の親指から小指に向かって、前記第一指バンド、前記第二指バンド、前記第三指バンド、前記第四指バンド、前記第五指バンドの順に並設されている足指間装着用具である。
【考案の効果】
【０００６】
本考案の足指間装着用具は、弾性部材で形成されており、足を動かすことで伸び縮みし、マッサージ効果が発生して足から手の先までの血液の循環を瞬時に感じ取ることができる。したがって、従来、足の指がバネ指で靴を履いた場合、靴の先が盛り上がっていたが、本考案の足指装着用具を装着することにより、足の先がスーと伸びるようになり、また、水虫対策にもなり、精神的な改善も図ることができるようになる。
【０００７】
東洋医学では、足の５本の指の間を八風（はっぷう）と言って、そのツボを刺激することにより、むくみ、のぼせ、疲労感、冷え性、高血圧、低血圧、自律神経失調症、頭痛異常、不眠等の改善を図ることができ、アキレス腱は、頻尿、生理痛、生理不順、転倒防止等に効果があり、また、足の裏はよごれた血液の溜所でもあるので、血液の循環を助勢する形態のものである。本考案の足指間装着用具は寝ながら装着するので老若男女だれでも無理なく使用できることになる。
【考案を実施するための最良の形態】
【０００８】
親指、人指し指、中指、薬指、小指の５本の足指の付け根部分にループ状のゴムバンドを装着し、足の甲の甲バンドは、足の甲の端部に各々の係止用第一面状ファスナーと第二面状ファスナーを各々引き寄せながら、足裏に左右の面状ファスナーを重ねて係止し、甲バンドにつながっているバンドは端部に各々の係止用第三面状ファスナーと第四面状ファスナーを各々引き寄せながらアキレス腱（足首）に左右の面状ファスナーを重ねて係止し、足及び足指間をマッサージする足指間装着用具を提供するものである。
【実施例】
【０００９】
図１は、本考案の足指間装着用具１の全体平面図であって、図２、図３及び図４の（イ）、（ロ）のように装着するものである。
【００１０】
本考案は、平ゴム等の弾性部材で形成された甲バンド７と、該甲バンド７に取り付けられると共に足の指に装着する弾性部材で形成されたループ状の第一指バンド２と、前記甲バンド７に取り付けられると共に足の指に装着する弾性部材で形成されたループ状の第二指バンド３と、前記甲バンド７に取り付けられると共に足の指に装着する弾性部材で形成されたループ状の第三指バンド４と、前記甲バンド７に取り付けられると共に足の指に装着する弾性部材で形成されたループ状の第四指バンド５と、前記甲バンド７に取り付けられると共に足の指に装着する弾性部材で形成されたループ状の第五指バンド６とによって構成され、足の親指から小指に向かって、前記第一指バンド２、前記第二指バンド３、前記第三指バンド４、前記第四指バンド５、前記第五指バンド６の順に並設している足指間装着用具１を提供するものである。
【００１１】
また、甲バンド７は帯状部材で、足の甲に取り付けられるように、前記帯状部材の端部に、それぞれ係止用の第一面状ファスナー９と第二面状ファスナー１０が取り付けられている。
【００１２】
さらに、甲バンド７につながっている平ゴム製のバンド８は、該バンド８の端部にそれぞれ係止用の第三面状ファスナー１１と第四面状ファスナー１２が取り付けられ、該バンド８を足のアキレス腱に当接して装着されることになる。
【００１３】
図２〜図４は本考案の足指間装着用具１の着用例を示したものである。図２のように足の親指から小指に向かって、第一指バンド２、第二指バンド３、第三指バンド４、第四指バンド５、第五指バンド６を引っ掛けて、図３のように甲バンド７を足裏に引っぱり、該甲バンド７の両端部にそれぞれ取り付けられた第一面状ファスナー９と第二面状ファスナー１０で該甲バンド７を係止する。さらに、図４のように該甲バンドにつながっている平ゴム製のバンド８をアキレス腱側へ引っぱり、該バンド８の両端部にそれぞれ取り付けられた第三面状ファスナー１１と第四面状ファスナー１２で該バンド８を係止して、本考案の足指間装着用具を着用することになる。
【００１４】
例えば、本考案は製品全体が平ゴムであって、足指間は２cm巾の平ゴム、足の甲部分は５cm巾の平ゴムで形成されており、足を動かすことによって、前記平ゴムが伸びたり縮んだりし、その平ゴムの伸縮動作で生じるソフトなマッサージ効果として足及び身体全体の血流が高められ、内臓不調、足のバネ指、水虫、内・外反母趾、扁平足等の治癒・改善ができる足指間装着用具を提供できることになる。
【図面の簡単な説明】
【００１５】
【図１】本考案の足指間装着用具の全体平面図である。
【図２】本考案の足指間装着用具の着用例を示した足の着用平面図である。
【図３】本考案の足指間装着用具の着用例を示した足の着用裏面図である。
【図４】本考案の足指間装着用具を着用している足の斜視図であって、（イ）は足の内側斜視図、（ロ）は足の外側斜視図である。
【符号の説明】
【００１６】
１  本体（足指間装着用具）
２  第一指バンド
３  第二指バンド
４  第三指バンド
５  第四指バンド
６  第五指バンド
７  甲バンド
８  バンド
９  第一面状ファスナー
１０第二面状ファスナー
１１第三面状ファスナー
１２第四面状ファスナー
【図１】
0003126808.tif 000003
【図２】
0003126808.tif 000004
【図３】
0003126808.tif 000005
【図４】
0003126808.tif 000006